(57)【要約】【課題】  通信回線数を低減する伝送装置、伝送システム、及び伝送方法を提供する。【解決手段】  伝送装置は、複数のパケットが収容された時分割多重信号を受信する信号受信部と、前記時分割多重信号から前記複数のパケットを分離する分離部と、前記複数のパケットの各々に、前記時分割多重信号内における当該収容位置に応じた識別子を付与する付与部と、前記複数のパケットのうち、前記識別子が相違する少なくとも２つのパケットを、共通の伝送路を介して送信するパケット送信部とを有する。【選択図】図３
2015050666.tif 000002
【特許請求の範囲】
【請求項１】
複数のパケットが収容された時分割多重信号を受信する信号受信部と、
前記時分割多重信号から前記複数のパケットを分離する分離部と、
前記複数のパケットの各々に、前記時分割多重信号内における当該収容位置に応じた識別子を付与する付与部と、
前記複数のパケットのうち、前記識別子が相違する少なくとも２つのパケットを、共通の伝送路を介して送信するパケット送信部とを有することを特徴とする伝送装置。
【請求項２】
前記時分割多重信号内における前記複数のパケットの収容位置及び前記識別子の対応関係を示すテーブルを記憶する記憶部を、さらに有することを特徴とする請求項１に記載の伝送装置。
【請求項３】
前記時分割多重信号から、前記時分割多重信号のフレーム構成を示すフレーム情報を取得する取得部と、
前記フレーム情報に応じて前記分離部を再構成する再構成処理部を、さらに有することを特徴とする請求項１または２に記載の伝送装置。
【請求項４】
個別の識別子がそれぞれ付与された複数のパケットを、共通の伝送路を介して受信するパケット受信部と、
前記複数のパケットを、前記識別子に応じた収容位置に収容した時分割多重信号を生成する信号生成部と、
前記時分割多重信号を送信する信号送信部とを有することを特徴とする伝送装置。
【請求項５】
１以上の伝送路を介して接続された第１伝送装置及び第２伝送装置を有し、
前記第１伝送装置は、
複数のパケットが収容された時分割多重信号を受信する信号受信部と、
前記時分割多重信号から前記複数のパケットを分離する分離部と、
前記複数のパケットの各々に、前記時分割多重信号内における当該収容位置に応じた識別子を付与する付与部と、
前記複数のパケットのうち、前記識別子が相違する少なくとも２つのパケットを、前記１以上の伝送路のうち、共通の伝送路を介して前記第２伝送装置に送信するパケット送信部とを有し、
前記第２伝送装置は、前記第１伝送装置から受信したパケットを、該パケットに付与された前記識別子に応じた転送先に転送することを特徴とする伝送システム。
【請求項６】
複数のパケットが収容された時分割多重信号を受信し、
前記時分割多重信号から前記複数のパケットを分離し、
前記複数のパケットの各々に、前記時分割多重信号内における当該収容位置に応じた識別子を付与し、
前記複数のパケットのうち、前記識別子が相違する少なくとも２つのパケットを、共通の伝送路を介して送信することを特徴とする伝送方法。
【請求項７】
個別の識別子がそれぞれ付与された複数のパケットを、共通の伝送路を介して受信し、
前記複数のパケットを、前記識別子に応じた収容位置に収容した時分割多重信号を生成し、送信することを特徴とする伝送方法。
【発明の詳細な説明】
【技術分野】
【０００１】
本件は、伝送装置、伝送システム、及び伝送方法に関する。
【背景技術】
【０００２】
通信需要の増加に伴い、高速光伝送方式が標準化されている。例えば、ＩＴＵ−Ｔ（International Telecommunication Union Telecommunication Standardization Sector（国際電気通信連合））勧告Ｇ．７０９は、約１．２５〜１００（Ｇｂｐｓ）の光伝送ネットワーク（OTN：Optical Transport Network）の技術を規定する。
【０００３】
ＯＴＮにおける光伝送は、ＯＴＵ(Optical channel Transport Unit)フレームと呼ばれるフォーマットの光信号に、複数のクライアント信号を収容することにより行われ、大容量の伝送を可能とする。ＯＴＵフレームに収容されるクライアント信号としては、ＳＤＨ（Synchronous Digital Hierarchy）フレーム、ＳＯＮＥＴ（Synchronous Optical NET）フレーム、及びイーサネット（登録商標、以下同様）フレームが挙げられる。このため、ＯＴＮ技術は、コアネットワークにおける大容量の伝送手段として期待されている。
【０００４】
クライアント信号のデータは、ＯＴＮのような時分割多重化（TDM: Time Division Multiplexing）方式を用いて伝送されるとき、例えば、ＧＦＰ（Generic Framing Procedure）により時分割多重信号のペイロード領域にマッピングされる。ＧＦＰの方式としては、ＧＦＰ−Ｆ（Frame mapped）及びＧＦＰ−Ｔ（Transparent）が挙げられる。
【０００５】
ＧＦＰ−Ｆは、クライアント信号のデータを、クライアント信号を形成するパケットまたはフレームごとに、マッピングする方式である。ＧＦＰ−Ｔは、クライアント信号のデータを、パケットまたはフレームの境界とは無関係に、ビットサンプリングしてマッピングする方式である。このため、ＧＦＰ−Ｔ方式を用いることにより、クライアント信号をトランスペアレント伝送できる。なお、ＧＦＰ−Ｆ及びＧＦＰ−Ｔの技術は、ＩＴＵ−Ｔ勧告Ｇ．７０４１／Ｙ．１３０３に規定されている。
【０００６】
ＧＦＰ−Ｔは、パケットまたはフレームの同期処理が不要であるため、ハードウェアのコストが、ＧＦＰ−Ｆより安い。このため、ＧＦＰ−Ｔは、低コスト化が著しいアクセス系ネットワークの伝送装置において用いられることが多い。
【０００７】
ＧＦＰに関し、例えば特許文献１には、クライアント装置間において、クライアント信号をＧＦＰ−Ｆを用いてマッピングする場合に、オートネゴシエーションを可能とする点が開示されている。また、特許文献２には、クライアント信号をＯＴＮフレームに収容する点が開示されている。
【先行技術文献】
【特許文献】
【０００８】
【特許文献１】特開２０１２−１６５３３４号公報
【特許文献２】特開２０１１−１７６７５０号公報
【発明の概要】
【発明が解決しようとする課題】
【０００９】
ＧＦＰ−Ｔを用いる場合、トランスペアレント伝送が行われるため、クライアント信号を送受信する通信回線の数及び帯域は、時分割多重信号（例えばＯＴＵフレーム）内に形成される論理的な通信回線（トリビュータリスロット）の数及び帯域と同一とされる。例えば、時分割多重信号内に、１ＧｂＥ（ギガビットイーサネット）信号×４０（本）を収容する場合、クライアント側ネットワークとのインターフェースに、１ＧｂＥ信号×４０（本）の通信回線が用いられる。
【００１０】
したがって、時分割多重信号から分離した４０（本）の１ＧｂＥ信号を、例えば４０（Ｇｂｐｓ）のイーサネットの通信回線に束ねて、クライアントネットワークに送信することができない。このため、時分割多重信号を送受信する通信回線を変更する場合、これに伴って、クライアント信号を送受信する通信回線も変更する必要が生ずるので、ネットワークの構成の変更及びマイグレーションのときにかかるコストが増加する。
【００１１】
そこで本件は上記の課題に鑑みてなされたものであり、通信回線数を低減する伝送装置、伝送システム、及び伝送方法を提供することを目的とする。
【課題を解決するための手段】
【００１２】
本明細書に記載の伝送装置は、複数のパケットが収容された時分割多重信号を受信する信号受信部と、前記時分割多重信号から前記複数のパケットを分離する分離部と、前記複数のパケットの各々に、前記時分割多重信号内における当該収容位置に応じた識別子を付与する付与部と、前記複数のパケットのうち、前記識別子が相違する少なくとも２つのパケットを、共通の伝送路を介して送信するパケット送信部とを有する。
【００１３】
本明細書に記載の伝送装置は、個別の識別子がそれぞれ付与された複数のパケットを、共通の伝送路を介して受信するパケット受信部と、前記複数のパケットを、前記識別子に応じた収容位置に収容した時分割多重信号を生成する信号生成部と、前記時分割多重信号を送信する信号送信部とを有する。
【００１４】
本明細書に記載の伝送システムは、１以上の伝送路を介して接続された第１伝送装置及び第２伝送装置を有し、前記第１伝送装置は、複数のパケットが収容された時分割多重信号を受信する信号受信部と、前記時分割多重信号から前記複数のパケットを分離する分離部と、前記複数のパケットの各々に、前記時分割多重信号内における当該収容位置に応じた識別子を付与する付与部と、前記複数のパケットのうち、前記識別子が相違する少なくとも２つのパケットを、前記１以上の伝送路のうち、共通の伝送路を介して前記第２伝送装置に送信するパケット送信部とを有し、前記第２伝送装置は、前記第１伝送装置から受信したパケットを、該パケットに付与された前記識別子に応じた転送先に転送する。
【００１５】
本明細書に記載の伝送方法は、複数のパケットが収容された時分割多重信号を受信し、前記時分割多重信号から前記複数のパケットを分離し、前記複数のパケットの各々に、前記時分割多重信号内における当該収容位置に応じた識別子を付与し、前記複数のパケットのうち、前記識別子が相違する少なくとも２つのパケットを、共通の伝送路を介して送信する伝送方法である。
【００１６】
本明細書に記載の伝送方法は、個別の識別子がそれぞれ付与された複数のパケットを、共通の伝送路を介して受信し、前記複数のパケットを、前記識別子に応じた収容位置に収容した時分割多重信号を生成し、送信する伝送方法である。
【発明の効果】
【００１７】
本明細書に記載の伝送装置、伝送システム、及び伝送方法は、通信回線数を低減できるという効果を奏する。
【図面の簡単な説明】
【００１８】
【図１】ネットワークの構成を示す構成図である。
【図２】パケット及び時分割多重信号の構成例を示す構成図である。
【図３】実施例に係る伝送装置の機能構成を示す構成図である。
【図４】識別子テーブルの内容の一例を示す表である。
【図５】伝送処理部の構成例を示す構成図である。
【図６】下り方向における伝送方法を示すフローチャートである。
【図７】上り方向における伝送方法を示すフローチャートである。
【発明を実施するための形態】
【００１９】
図１は、ネットワークの構成を示す構成図である。伝送装置（第１伝送装置）１ａ〜１ｃは、メトロコアネットワーク９２に接続されている。メトロコアネットワーク９２は、例えばリング状の構成を有するが、これに限定されず、メッシュ状であってもよい。
【００２０】
伝送装置１ａ〜１ｃは、伝送路（光ファイバ）を介して互いに接続されている。伝送装置１ａは、１以上の伝送路（光ファイバ）を介して第１ルータ（第２伝送装置）９１と接続されている。第１ルータ９１は、例えばコアエッジの位置し、コアネットワーク９０と接続されている。コアネットワーク９０は、例えば、リング状に接続されたＷＤＭ（Wavelength Divisional Multiplexer）伝送装置により構成される。
【００２１】
伝送装置１ａは、メトロコアネットワーク９２内の他の伝送装置１ｂ，１ｃとの間で時分割多重信号（以下、「ＴＤＭ信号」と表記）を送受信し、第１ルータ９１との間でイーサネットフレーム（以下、「パケット」と表記）を送受信する。伝送装置１ａは、ＧＦＰ−Ｔ方式のマッピングにより複数のパケットをＴＤＭ信号に収容してメトロコアネットワーク９２内の他の伝送装置１ｂ，１ｃに送信する。また、伝送装置１ａは、他の伝送装置１ｂ，１ｃからＴＤＭ信号を受信し、ＴＤＭ信号から複数のパケットを分離して第１ルータ９１に送信する。
【００２２】
伝送装置１ｂは、１以上の伝送路（光ファイバ）を介して第２ルータ（第２伝送装置）９５と接続されている。第２ルータ９５は、例えばプロバイダエッジに位置し、メトロアクセスネットワーク９６と接続されている。
【００２３】
伝送装置１ｂは、メトロコアネットワーク９２内の他の伝送装置１ａ，１ｃとの間でＴＤＭ信号を送受信し、第２ルータ９５との間でパケットを送受信する。伝送装置１ｂは、ＧＦＰ−Ｔ方式のマッピングにより複数のパケットをＴＤＭ信号に収容してメトロコアネットワーク９２内の他の伝送装置１ａ，１ｃに送信する。また、また、伝送装置１ｂは、他の伝送装置１ａ，１ｃからＴＤＭ信号を受信し、ＴＤＭ信号から複数のパケットを分離して第２ルータ９５に送信する。
【００２４】
伝送装置１ｃは、１以上の伝送路（光ファイバ）を介してレイヤ２スイッチ（第２伝送装置）９３と接続されている。レイヤ２スイッチ９３は、例えばカスタマエッジに位置し、ＬＡＮ（Local Area Network）と接続されている。
【００２５】
伝送装置１ｃは、メトロコアネットワーク９２内の他の伝送装置１ｂ，１ａとの間でＴＤＭ信号を送受信し、レイヤ２スイッチ９３との間でパケットを送受信する。伝送装置１ｃは、ＧＦＰ−Ｔ方式のマッピングにより複数のパケットをＴＤＭ信号に収容してメトロコアネットワーク９２内の他の伝送装置１ｂ，１ａに送信する。また、伝送装置１ｃは、他の伝送装置１ｂ，１ａからＴＤＭ信号を受信し、ＴＤＭ信号から複数のパケットを分離してレイヤ２スイッチ９３に送信する。
【００２６】
なお、本明細書において、伝送装置１ａ〜１ｃの伝送方向として、第１ルータ９１、第２ルータ９５、及びレイヤ２スイッチ９３からメトロコアネットワーク９２に向かう方向Ｒｕを、「上り方向」と表記する。また、メトロコアネットワーク９２から第１ルータ９１、第２ルータ９５、及びレイヤ２スイッチ９３に向かう方向Ｒｄを、「下り方向」と表記する。また、符号Ｌ１は、伝送装置１ａと第１ルータ９１の間の通信回線を示し、符号Ｌ２は、伝送装置１ｂと第２ルータ９５の間の通信回線を示し、符号Ｌ３は、伝送装置１ｃとレイヤ２スイッチ９３の間の通信回線を示す。
【００２７】
図２は、パケット及びＴＤＭ信号の構成例を示す構成図である。図２（ａ）は、パケットの構成を示し、図２（ｂ）は、ＴＤＭ信号の構成を示す。
【００２８】
パケットは、宛先を示すＤＡ（Destination Address）と、送信元を示すＳＡ（Source Address）と、ＴＰＩＤ（Tag Protocol Identifier）と、ＶＩＤ（Virtual LAN Identifier））（識別子）と、ペイロードと、ＦＣＳ（Frame Check Sequence）とを含む。ＴＰＩＤは、ＣＶＬＡＮ（Customer VLAN）の場合、０ｘ８１００（１６進数）（固定値）であり、ＳＶＬＡＮ（Service VLAN）の場合、０ｘ８８Ａ８（固定値）であるが、システムとして、他の値を用いてもよい。ＦＣＳは、パケットのデータの誤り検出符号である。
【００２９】
また、ＴＤＭ信号は、オーバーヘッド（ＯＨ）と、ペイロードとを含む。ペイロードは、複数のトリビュータリスロット（ＴＳ＃０〜ＴＳ＃７９）を有する。トリビュータリスロットは、当該スロット番号（＃０〜＃７９）が付与されたパケットを収容する。すなわち、スロット番号は、ＴＤＭ信号内におけるパケットの収容位置を示す。なお、このようなＴＤＭ信号の構成を、以下の説明において、「ＴＤＭフレーム」と表記する。
【００３０】
ＴＤＭフレームとして、例えば、ＩＴＵ−Ｔ勧告Ｇ．７０９に規定されたＯＴＵフレームを用いる場合、パケットは、ＯＤＵ（Optical Data Unit）としてトリビュータリスロットに収容される。ＯＴＵフレーム内に収容可能なＯＤＵ数（トリビュータリスロット数）は、ＯＴＵフレームの帯域に依存する。帯域としては、例えば、１．２５（Ｇｂｐｓ）の「ＯＤＵ０」、１０（Ｇｂｐｓ）の「ＯＤＵ２」、及び４０（Ｇｂｐｓ）の「ＯＤＵ３」が規定されている。
【００３１】
また、ＯＴＵフレームのオーバーヘッドは、ＯＰＵ（Optical Channel Payload Unit）を含む。ＯＰＵは、ペイロードの種類を示すＰＴ（Payload Type）と、多重構造識別子（MSI : Multiplex Structure Identifier）と、予約領域（Reserved）とを含む。多重構造識別子（フレーム情報）は、つまりＯＴＵフレームのフレーム構成を示す。上述したように、ＯＴＵフレームが収容するＯＤＵ数は、帯域の種類に依存するので、多重構造識別子は、例えば、上記の帯域（ＯＤＵｋ）の情報を示す。
【００３２】
伝送装置１ａ〜１ｃは、ＧＦＰ−Ｔ方式によりパケットをＴＤＭ信号にマッピングするので、第１ルータ９１、第２ルータ９５、及びレイヤ２スイッチ９３とメトロコアネットワーク９２の間でトランスペアレント伝送を行う。このため、従来、各伝送装置１ａ〜１ｃの通信回線Ｌ１〜Ｌ３は、ＴＤＭ信号のトリビュータリスロットと同数分設けられていた。
【００３３】
実施例に係る伝送装置１ａ〜１ｃは、ＴＤＭ信号に収容された複数のパケットを分離して、ＴＤＭ信号内における収容位置に応じたＶＩＤを各パケットに付与し、ＶＩＤが異なる２以上のパケットを、共通の伝送路を介して送信する。これにより、通信回線Ｌ１〜Ｌ３の数が低減される。
【００３４】
図３は、実施例に係る伝送装置１ａ〜１ｃの機能構成を示す構成図である。伝送装置１ａ〜１ｃは、ＴＤＭ信号（「ＴＤＭ」）を送受信する第１インターフェース部１０と、スイッチ部１１と、パケット（「ＰＫＴ」）を送受信する第２インターフェース部１２とを有する。
【００３５】
スイッチ部１１は、第１インターフェース部１０及び第２インターフェース部１２の間において、ＴＤＭ信号に含まれるトリビュータリスロット単位のデータ（例えばＯＤＵ）を交換する。ここで、伝送装置１ａ〜１ｃは、複数の第１インターフェース部１０及び第２インターフェース部１２を有してもよい。
【００３６】
第１インターフェース部１０は、光送受信器１００と、フレーム処理部（信号生成部）１０１と、ＭＵＸ部１０２と、ＤＭＵＸ部１０３と、第１オーバーヘッド処理部１０４と、第１入力部１０５と、第１出力部１０６とを有する。第２インターフェース部１２は、第２出力部１２０と、第２入力部１２１と、第２オーバーヘッド処理部１２２と、検出部１２３と、再構成処理部１２４と、メモリ（記憶部）１２５と、パケット再生部１２６と、パケット（ＰＫＴ）処理部１２７とを有する。第２インターフェース部１２は、さらに、ＭＡＣ（Media Access Control）機能部（付与部）１２８と、ＰＨＹ（Physical Layer）機能部１２９とを有する。以下に、上記の各部の機能を、上り方向Ｒｕ及び下り方向Ｒｄを区別して説明する。
【００３７】
ＰＨＹ機能部（パケット送信部、パケット受信部）１２９は、ルータ９１，９５及びＬ２スイッチ９３などの外部の通信機器との間において、パケットを送受信する。ＰＨＹ機能部１２９は、伝送路にそれぞれ接続された複数のポートＰ０〜Ｐｎを有し、物理レイヤの機能に基づいてパケットを処理する。上り方向Ｒｕのパケットは、複数のポートＰ０〜Ｐｎを介して、伝送路から入力され、ＭＡＣ機能部１２８に出力される。下り方向Ｒｄのパケットは、ＭＡＣ機能部１２８から入力され、複数のポートＰ０〜Ｐｎを介して、伝送路に出力される。
【００３８】
ＭＡＣ機能部１２８は、ＭＡＣレイヤの機能に基づいてパケットを処理する。ＭＡＣ機能部１２８は、メモリ１２５に記憶された識別子テーブルを参照して、パケットごとに識別子を割り当てる。ＭＡＣ機能部１２８は、上り方向Ｒｕに伝送されるパケットに、ＶＩＤに応じたスロット番号を割り当て、下り方向Ｒｄに伝送されるパケットに、ＴＤＭ信号のスロット番号に応じたＶＩＤを割り当てる。
【００３９】
図４には、識別子テーブルの内容の一例が示されている。図４（ａ）は、上り方向Ｒｕの識別子テーブルを示し、図４（ｂ）は、下り方向Ｒｄの識別子テーブルを示す。
【００４０】
上り方向Ｒｕの識別子テーブルにおいて、「受信ＶＩＤ」は、上り方向ＲｕのパケットのＶＩＤ（図２（ａ）参照）を示し、「送信スロット番号」は、ＴＤＭ信号のスロット番号（図２（ｂ）参照）を示す。「有効／無効」情報は、「１」のとき、「受信ＶＩＤ」及び「送信スロット番号」が有効であることを示し、「０」のとき、「受信ＶＩＤ」及び「送信スロット番号」が無効であることを示す。
【００４１】
ＭＡＣ機能部１２８は、上り方向Ｒｕのパケットを受信したとき、パケットの「受信ＶＩＤ」に対応する「送信スロット番号」を識別子テーブルから検索し、当該「有効／無効」情報が「１」であるとき、「送信スロット番号」をパケットに割り当てる。例えば、「受信ＶＩＤ」が「１０」であるパケットは、「送信スロット番号」として「０」が割り当てられる。なお、「有効／無効」情報が「０」であるとき、「送信スロット番号」割り当ては行われない。
【００４２】
下り方向Ｒｄの識別子テーブルにおいて、「受信スロット番号」は、下り方向Ｒｄのパケットが収容されたスロットのスロット番号（図２（ｂ）参照）を示し、「送信ＶＩＤ」は、下り方向ＲｄのパケットのＶＩＤ（図２（ａ）参照）を示す。また、「出力ポート番号」は、下り方向Ｒｄのパケットを送信するポートＰ０〜Ｐｎの識別番号（＃０〜＃Ｎ）を示す。
【００４３】
ＭＡＣ機能部１２８は、下り方向Ｒｄのパケットを受信したとき、パケットが収容されたスロットの「受信スロット番号」に対応する「送信ＶＩＤ」を識別子テーブルから検索して、パケットに割り当てる。例えば、「受信スロット番号」が「０」であるパケットは、「送信ＶＩＤ」として「１０」が割り当てられる。
【００４４】
また、ＭＡＣ機能部１２８は、パケットが収容されたスロットの「受信スロット番号」に対応する「出力ポート番号」を識別子テーブルから検索して、ＰＨＹ機能部１２９に通知する。ＰＨＹ機能部１２９は、パケットを、通知された「出力ポート番号」のポートＰ０〜Ｐｎを介して伝送路に出力する。
【００４５】
図４（ｂ）を参照すると理解されるように、「送信ＶＩＤ」が相違するパケットであっても、共通の「出力ポート番号」を有する。例えば、「送信ＶＩＤ」が「１０」、「１１」、及び「１７」のパケットは、ポートＰ０を介して出力され、「送信ＶＩＤ」が「３０」、「３３」、及び「５０」のパケットは、ポートＰ１を介して出力される。
【００４６】
したがって、ＰＨＹ機能部１２９は、ＶＩＤが異なるパケット同士を、共通の伝送路に出力する。このため、パケットの送信先である第１ルータ９１、第２ルータ９５、及びレイヤ２スイッチ９３は、パケットを、伝送路ごとに設けられた通信回線Ｌ１〜Ｌ３ではなく、ＶＩＤにより識別し、ＶＩＤに応じた転送先に転送する。
【００４７】
一方、上り方向Ｒｕにおいても、ＰＨＹ機能部１２９は、ＶＩＤが異なるパケット同士を、共通のポートＰ０〜Ｐｎを介して受信する。つまり、ＰＨＹ機能部１２９は、個別のＶＩＤが付与された複数のパケットを、共通の伝送路を介して受信する。
【００４８】
このように、パケットは、伝送装置１ａ〜１ｃと第１ルータ９１、第２ルータ９５、及びレイヤ２スイッチ９３の間において、ＶＩＤに対応する通信回線Ｌ１〜Ｌ３により伝送される。ＶＩＤ及び通信回線Ｌ１〜Ｌ３の対応関係を示すテーブルは、例えば第１ルータ９１、第２ルータ９５、及びレイヤ２スイッチ９３に保持されている。この場合、伝送装置１ａ〜１ｃは、制御チャネルを介し、第１ルータ９１、第２ルータ９５、及びレイヤ２スイッチ９３と通信することにより、識別子テーブルを更新してもよい。
【００４９】
このように、メモリ１２５に、ＴＤＭ信号内における複数のパケットの収容位置（つまりスロット番号）及びＶＩＤの対応関係を示す識別テーブルを記憶させることにより、異なるインターフェース間におけるパケットの識別子の変換が容易となる。
【００５０】
パケット（ＰＫＴ）処理部１２７は、パケットの帯域制御などを行う。帯域制御の方式としては、例えば、ポートＰ０〜Ｐｎを単位とするラウンドロビン方式が挙げられるが、これに限定されない。パケット処理部１２７は、上り方向Ｒｕのパケットをパケット再生部１２６に出力し、下り方向ＲｄのパケットをＭＡＣ機能部１２８に出力する。
【００５１】
パケット再生部１２６は、マッピング部２０、デマッピング部２１、及び伝送処理部２２を有する。パケット再生部１２６は、例えばＦＰＧＡ（Field Programmable Gate Array）などの再構成可能な回路により構成され、後述するように、下り方向ＲｄのＴＤＭフレームに含まれるフレーム情報に応じて、再構成処理部１２４により再構成される。
【００５２】
伝送処理部２２は、パケットを、ＴＤＭ信号としてトランスペアレント伝送するための伝送処理を行う。伝送処理部２２は、上り方向Ｒｕのパケットをマッピング部２０に出力し、下り方向Ｒｄのパケットをパケット処理部１２７に出力する。
【００５３】
マッピング部２０は、ＧＦＰ−Ｔ方式に従って、上り方向Ｒｕのパケットをビットサンプリングし、ＴＤＭ信号のトリビュータリスロット＃０〜＃７９にマッピングする。各パケットは、ＭＡＣ機能部１２８により割り当てられたスロット番号（つまり、「送信スロット番号」）を付与され、ＯＤＵに相当するＧＦＰ−Ｔフレームに収容される。
【００５４】
第２オーバーヘッド処理部１２２は、ＧＦＰ−Ｔフレームのオーバーヘッドに所定の制御情報などを追加する。ＧＦＰ−Ｔフレームは、第２出力部１２０に出力される。
【００５５】
第２出力部１２０は、ＧＦＰ−Ｔフレームをスイッチ部１１に出力する。第２オーバーヘッド処理部１２２は、他の制御情報などをＧＦＰ−Ｔフレームのオーバーヘッドに追加する。スイッチ部１１は、外部のネットワーク管理装置などから設定されたスイッチング設定に従って、ＧＦＰ−Ｔフレームを第１インターフェース部１０に出力する。
【００５６】
また、第２入力部１２１は、第１インターフェース部１０からスイッチ部１１を介して入力された下り方向ＲｄのＴＤＭフレームをデマッピング部２１に出力する。第２オーバーヘッド処理部１２２は、ＴＤＭフレームのオーバーヘッドから制御情報などを取得する。
【００５７】
デマッピング部２１は、下り方向ＲｄのＴＤＭ信号からパケットを分離する。より具体的には、デマッピング部２１は、ＧＦＰ−Ｔ方式に従って、ＴＤＭ信号のトリビュータリスロット＃０〜＃７９から、パケットを取り出す。取り出されたパケットは、伝送処理部２２に出力される。第２オーバーヘッド処理部１２２は、所定の制御情報などを、マッピングされたパケットから取得する。
【００５８】
検出部（取得部）１２３は、第２オーバーヘッド処理部１２２が得た制御情報のうち、ＴＤＭフレーム、つまりＴＤＭ信号のフレーム構成を示すフレーム情報を取得する。フレーム情報は、ＴＤＭフレームとして、ＯＴＮフレームを用いる場合、ＭＳＩ（図２（ｂ）参照）である。検出部１２３は、フレーム情報が、前回の取得時の内容と異なる場合、つまり、ＴＤＭ信号の帯域（ビットレート）に変更が生じた場合、再構成処理部１２４に、フレーム再生部１２６の再構成を指示する。
【００５９】
再構成処理部１２４は、検出部１２３から再構成の指示を受けると、メモリ１２５に記憶された３種類の回路データ（Ａ）〜（Ｃ）の１つを、フレーム情報に応じて選択し、選択した回路データに基づき、フレーム再生部１２６を再構成する。再構成処理部１２４は、再構成手段として、例えばＦＰＧＡのパーシャルリコンフィグレーション（partial reconfiguration）を用いる。
【００６０】
パーシャルリコンフィグレーションは、ＦＰＧＡの回路の一部だけを変更する機能である。このため、第２インターフェース部１２の全体がＦＰＧＡにより構成される場合、再構成処理部１２４は、フレーム再生部１２６だけを、他の部分に影響することなく、再構成する。
【００６１】
再構成処理部１２４は、ＴＤＭフレームとしてＯＴＵフレームが用いられる場合、フレーム情報（ＭＳＩ）が示すＯＴＵフレームの帯域情報（ＯＤＵｋ）に従って、伝送処理部２２を再構成する。つまり、再構成処理部１２４は、ＴＤＭ信号のビットレートが変更されたとき、伝送処理部２２を再構成する。
【００６２】
図５は、伝送処理部２２の構成例を示す構成図である。図５（ａ）は、帯域がＯＤＵ０（１．２５（Ｇｂｐｓ））の場合における伝送処理部２２の構成を示す。この場合、伝送処理部２２は、回路データ（Ａ）に従って構成され、１０００ＢＡＳＥ−Ｘ用ＰＨＹ部２２０ａ及び１０００ＢＡＳＥ−Ｘ用ＴＴＴ（Timing Transparent Transcoding）２２１ａを有する。１０００ＢＡＳＥ−Ｘ用ＰＨＹ部２２０ａは、１０００ＢＡＳＥ−Ｘ信号の物理レイヤの機能に従って、パケットを伝送処理する。１０００ＢＡＳＥ−Ｘ用ＴＴＴ２２１ａは、１０００ＢＡＳＥ−Ｘ信号をＧＦＰ−Ｔフレームデータ列に同期マッピングする。
【００６３】
図５（ｂ）は、帯域がＯＤＵ２（１０（Ｇｂｐｓ））の場合における伝送処理部２２の構成を示す。この場合、回路データ（Ｂ）に従って構成され、伝送処理部２２は、１０ＧＢＡＳＥ−Ｘ用ＰＨＹ部２２０ｂを有する。１０ＧＢＡＳＥ−Ｘ用ＰＨＹ部２２０ｂは、１０ＧＢＡＳＥ−Ｘ信号の物理レイヤの機能に従って、パケットを伝送処理する。
【００６４】
図５（ｃ）は、帯域がＯＤＵ３（４０（Ｇｂｐｓ））の場合における伝送処理部２２の構成を示す。この場合、伝送処理部２２は、回路データ（Ｃ）に従って構成され、４０ＧＢＡＳＥ−Ｘ用ＰＨＹ部２２０ｃ及び４０ＧＢＡＳＥ−Ｘ用ＴＴＴ２２１ｃを有する。４０ＧＢＡＳＥ−Ｘ用ＰＨＹ部２２０ｃは、４０ＧＢＡＳＥ−Ｘ信号の物理レイヤの機能に従って、パケットを伝送処理する。４０ＧＢＡＳＥ−Ｘ用ＴＴＴ２２１ｃは、４０ＧＢＡＳＥ−ＸをＧＦＰ−Ｔフレームデータ列に同期マッピングする。
【００６５】
このように、伝送処理部２２は、受信したＴＤＭフレームのフレーム構成に応じて構成が変更される。これは、マッピング部２０及びデマッピング部２１も同様である。したがって、伝送装置１ａ〜１ｃは、ＴＤＭフレームのフレーム構成の変更に柔軟に対応できる。なお、再構成処理部１２４は、パケット再生部１２６を再構成したとき、メモリ１２５に記憶された識別子テーブルを初期化し、再設定する。
【００６６】
上り方向Ｒｕにおいて、スイッチ部１１から出力されたＧＦＰ−Ｔフレームは、第１インターフェース部１０の第１入力部１０５に入力される。第１オーバーヘッド処理部１０４は、制御情報などをＧＦＰ−Ｔフレームのオーバーヘッドに追加する。
【００６７】
ＭＵＸ部１０２は、ＧＦＰ−Ｔフレームを多重して、ＴＤＭフレームのペイロードとして構成する。つまり、ＭＵＸ部１０２は、各トリビュータリスロット＃０〜＃７９に収容されるパケットを多重する。各パケットは、ＭＡＣ機能部１２８により割り当てられた「送信スロット番号」に応じたトリビュータリスロットに収容される。第１オーバーヘッド処理部１０４は、上記のＭＳＩなどをＴＤＭフレームのオーバーヘッドに追加する。
【００６８】
フレーム処理部１０１は、上り方向Ｒｕにおいて、ＭＵＸ部１０２から入力されたペイロードに基づいてＴＤＭフレーム、つまりＴＤＭ信号を生成して、光送受信器１００に送信する。フレーム処理部１０１は、複数のパケットを、ＶＩＤに応じた収容位置に収容したＴＤＭ信号を生成する。
【００６９】
光送受信器１００は、例えば、レーザーダイオードなどの発光素子と、フォトダイオードなどの受光素子が一体化された光モジュールである。上り方向Ｒｕにおいて、光送受信器（信号送信部）１００は、フレーム処理部１０１から入力されたＴＤＭ信号を、メトロコアネットワーク９２の伝送路に送信する。下り方向Ｒｄにおいて、光送受信器（信号受信部）１００は、メトロコアネットワーク９２の伝送路から、複数のパケットが収容されたＴＤＭ信号（ＴＤＭ）を受信して、フレーム処理部１０１に出力する。
【００７０】
下り方向Ｒｄにおいて、フレーム処理部１０１は、ＴＤＭフレーム（例えばＯＴＵフレーム）の同期処理を行ってＤＭＵＸ部１０３に出力する。ＤＭＵＸ部１０３は、ＴＤＭ信号からトリビュータリスロットごとのデータ（例えばＯＤＵ）を分離して第１出力部１０６に出力する。また、第１オーバーヘッド処理部１０４は、ＴＤＭフレームのオーバーヘッドから所定の情報を取得する。
【００７１】
第１出力部１０６は、スイッチ部１１に、分離されたデータごとにＴＤＭ信号を出力する。スイッチ部１１は、外部のネットワーク管理装置などから設定されたスイッチング設定に従って、ＴＤＭ信号を第２インターフェース部１２に出力する。ＴＤＭ信号は、第２インターフェース部１２の第２入力部１２１に入力される。
【００７２】
上述した構成によると、下り方向Ｒｄにおいて、ＭＡＣ機能部１２８は、識別子テーブルに基づいて、ＴＤＭ信号に収容された複数のパケットの各々に、ＴＤＭ信号内における当該収容位置（スロット番号）に応じたＶＩＤを付与する。このため、パケットごとに、メトロコアネットワーク９２側のインターフェースにおける論理的な通信回線（トリビュータリスロット）が、ＶＩＤに基づいて識別される。
【００７３】
したがって、第１ルータ９１、第２ルータ９５、及びレイヤ２スイッチ９３は、ＰＨＹ機能部１２９から送信されたパケットをＶＩＤにより識別するので、ＶＩＤに応じた宛先にパケットを転送できる。つまり、第１ルータ９１、第２ルータ９５、及びレイヤ２スイッチ９３は、パケットを受信した個々の通信回線Ｌ１〜Ｌ３、つまり個々の伝送路により、パケットを識別する必要がない。このため、パケットをトランスペアレント伝送するために、通信回線Ｌ１〜Ｌ３を、メトロコアネットワーク９２側のインターフェースにおける論理的な通信回線（トリビュータリスロット）と同じ数だけ設ける必要がない。
【００７４】
また、ＰＨＹ機能部１２９は、ＶＩＤが相違する少なくとも２つのパケットを、共通の伝送路を介して送信する。つまり、伝送装置１ａ〜１ｃは、ＴＤＭ信号内に収容された複数のパケットを統計的に多重し、共通の伝送路を介して、第１ルータ９１、第２ルータ９５、及びレイヤ２スイッチ９３に送信する。よって、通信回線Ｌ１〜Ｌ３の数が、低減され、これに伴い、伝送装置１ａ〜１ｃの設備コスト及び運用コストが削減される。
【００７５】
さらに、再構成処理部１２４は、ＴＤＭ信号の帯域（ビットレート）に応じて、パケット再生部１２６を再構成する。このため、パケット再生部１２６は、ＴＤＭ信号の帯域によらずに、パケットを再生することができる。
【００７６】
一方、上り方向Ｒｕにおいて、ＰＨＹ機能部１２９は、個別のＶＩＤがそれぞれ付与された複数のパケットを、共通の伝送路を介して受信する。フレーム処理部１０１は、複数のパケットを、ＶＩＤに応じた収容位置（スロット番号）に収容したＴＤＭ信号を生成する。光送受信器１００は、ＴＤＭ信号を送信する。
【００７７】
このため、パケットごとに、メトロコアネットワーク９２側のインターフェースにおける論理的な通信回線（トリビュータリスロット）が、ＶＩＤに基づいて識別される。したがって、上述したように、通信回線Ｌ１〜Ｌ３の数が、低減され、これに伴い、伝送装置１ａ〜１ｃの設備コスト及び運用コストが削減される。
【００７８】
次に、実施例に係る伝送方法について説明する。実施例に係る伝送方法は、上述した伝送装置１ａ〜１ｃを用いて実行される。
【００７９】
図６は、下り方向Ｒｄにおける伝送方法を示すフローチャートである。まず、光送受信器１００は、メトロコアネットワーク９２の伝送路から複数のパケットが収容されたＴＤＭ信号を受信する（ステップＳｔ１）。次に、第２オーバーヘッド処理部１２２は、ＴＤＭ信号のオーバーヘッドからフレーム情報（例えばＭＳＩ）を取得する（ステップＳｔ２）。
【００８０】
次に、再構成処理部１２４は、フレーム情報に基づいて、ＴＤＭ信号（ＴＤＭフレーム）のフレーム構成に変更があるか否かを判定する（ステップＳｔ３）。フレーム構成に変更が有る場合（ステップＳｔ３のＹＥＳ）、再構成処理部１２４は、フレーム情報に応じ、メモリに記憶された回路データ（Ａ）〜（Ｃ）の１つを選択し、選択した回路データに基づいて、パケット再生部１２６を再構成する（ステップＳｔ４）。
【００８１】
次に、再構成処理部１２４は、メモリ１２５に記憶された識別子テーブルを初期化し、再設定する（ステップＳｔ５）。なお、再設定は、例えば、ルータ９１，９５やレイヤ２スイッチ９３から取得した制御情報に基づいて行われる。
【００８２】
フレーム構成に変更がない場合（ステップＳｔ３のＮＯ）、デマッピング部２１は、ＴＤＭ信号から複数のパケットを分離する（ステップＳｔ６）。次に、ＭＡＣ機能部１２８は、識別子テーブルの「送信ＶＩＤ」を参照して、複数のパケットの各々に、ＴＤＭ信号内における当該収容位置（トリビュータリスロット）に応じたＶＩＤを付与する（ステップＳｔ７）。
【００８３】
次に、ＰＨＹ機能部１２９は、ルータ９１，９５またはレイヤ２スイッチ９３に、パケットを送信する（ステップＳｔ８）。より具体的には、ＰＨＹ機能部１２９は、識別子テーブルの「出力ポート番号」を参照して、複数のパケットのうち、ＶＩＤが相違する少なくとも２つのパケットを、共通の伝送路を介して送信する。このようにして、下り方向Ｒｄにおける伝送方法は行われる。
【００８４】
また、図７は、上り方向Ｒｕにおける伝送方法を示すフローチャートである。まず、ＰＨＹ機能部１２９は、ルータ９１，９５またはレイヤ２スイッチ９３からパケットを受信する（ステップＳｔ１１）。より具体的には、ＰＨＹ機能部１２９は、個別のＶＩＤがそれぞれ付与された複数のパケットを、共通の伝送路を介して受信する。
【００８５】
次に、ＭＡＣ機能部１２８は、パケットからＶＩＤを取得し（ステップＳｔ１２）、識別子テーブルの「送信スロット番号」を参照して、ＶＩＤに応じたスロット番号をパケットに割り当てる（ステップＳｔ１３）。次に、マッピング部２０は、ＧＦＰ−Ｔ方式に従って、パケットをＧＦＰ−Ｔフレームにマッピングする（ステップＳｔ１４）。
【００８６】
次に、ＭＵＸ部１０２は、ＧＦＰ−Ｔフレームにマッピングされたパケットを、スロット番号に応じたＴＤＭ信号のトリビュータリスロットに収容する（ステップＳｔ１５）。これにより、フレーム処理部１０１は、複数のパケットを、ＶＩＤに応じた収容位置に収容したＴＤＭ信号を生成する。
【００８７】
次に、光送受信器１００は、ＴＤＭ信号をメトロコアネットワーク９２の伝送路に送信する（ステップＳｔ１６）。このようにして、上り方向Ｒｕにおける伝送方法は行われる。
【００８８】
これまで述べたように、実施例に係る伝送装置１ａ〜１ｃは、光送受信器（信号受信部）１００と、デマッピング部（分離部）２１と、ＭＡＣ機能部（付与部）１２８と、ＰＨＹ機能部（パケット送信部）１２９とを有する。光送受信器１００は、複数のパケットが収容された時分割多重信号を受信する。デマッピング部２１は、時分割多重信号から複数のパケットを分離する。ＭＡＣ機能部１２８は、複数のパケットの各々に、時分割多重信号内における当該収容位置（スロット番号）に応じたＶＩＤ（識別子）を付与する。ＰＨＹ機能部１２９は、複数のパケットのうち、識別子（ＶＩＤ）が相違する少なくとも２つのパケットを、共通の伝送路を介して送信する。
【００８９】
実施例に係る伝送装置１ａ〜１ｃによると、ＭＡＣ機能部１２８は、識別子テーブルに基づいて、ＴＤＭ信号に収容された複数のパケットの各々に、ＴＤＭ信号内における当該収容位置に応じたＶＩＤを付与する。このため、パケットごとに、ＴＤＭ信号内の論理的な通信回線（トリビュータリスロット）が、ＶＩＤに基づいて識別される。このため、パケットをトランスペアレント伝送するために、ＰＨＹ機能部１２９側の通信回線Ｌ１〜Ｌ３を、ＴＤＭ信号内の論理的な通信回線と同じ数だけ設ける必要がない。
【００９０】
また、ＰＨＹ機能部１２９は、ＶＩＤが相違する少なくとも２つのパケットを、共通の伝送路を介して送信する。つまり、伝送装置１ａ〜１ｃは、ＴＤＭ信号内に収容された複数のパケットを統計的に多重し、共通の伝送路を介して送信する。よって、通信回線Ｌ１〜Ｌ３の数が、低減され、これに伴い、伝送装置１ａ〜１ｃの設備コスト及び運用コストが削減される。
【００９１】
また、実施例に係る伝送システムは、１以上の伝送路を介して接続された第１伝送装置１ａ〜１ｃ及び第２伝送装置（ルーター、レイヤ２スイッチ）９１，９５，９３を有する。第１伝送装置１ａ〜１ｃは、光送受信器（信号受信部）１００と、デマッピング部（分離部）２１と、ＭＡＣ機能部（付与部）１２８と、ＰＨＹ機能部（パケット送信部）１２９とを有する。
【００９２】
光送受信器１００は、複数のパケットが収容された時分割多重信号を受信する。デマッピング部２１は、時分割多重信号から複数のパケットを分離する。ＭＡＣ機能部１２８は、複数のパケットの各々に、時分割多重信号内における当該収容位置（トリビュータリスロット）に応じたＶＩＤ（識別子）を付与する。ＰＨＹ機能部１２９は、複数のパケットのうち、識別子（ＶＩＤ）が相違する少なくとも２つのパケットを、１以上の伝送路のうち、共通の伝送路を介して第２伝送装置９１，９５，９３に送信する。
【００９３】
実施例に係る伝送システムは、実施例に係る伝送装置１ａ〜１ｃを含むので、上述した内容と同様の作用効果を奏する。
【００９４】
また、実施例に係る伝送方法は、以下の工程（１）〜（４）を含む。
工程（１）：複数のパケットが収容された時分割多重信号を受信する。
工程（２）：時分割多重信号から複数のパケットを分離する。
工程（３）：複数のパケットの各々に、時分割多重信号内における当該収容位置（トリビュータリスロット）に応じたＶＩＤ（識別子）を付与する。
工程（４）：複数のパケットのうち、ＶＩＤ（識別子）が相違する少なくとも２つのパケットを、共通の伝送路を介して送信する。
【００９５】
実施例に係る伝送方法は、実施例に係る伝送装置１ａ〜１ｃと同様の構成を含むので、上述した内容と同様の作用効果を奏する。
【００９６】
また、他の実施例に係る伝送装置１ａ〜１ｃは、ＰＨＹ機能部（パケット受信部）１２９と、フレーム処理部（信号生成部）１０１と、光送受信器（信号送信部）１００とを有する。ＰＨＹ機能部１２９は、個別のＶＩＤ（識別子）がそれぞれ付与された複数のパケットを、共通の伝送路を介して受信する。フレーム処理部１０１は、複数のパケットを、ＶＩＤに応じた収容位置に収容した時分割多重信号を生成する。光送受信器１００は、時分割多重信号を送信する。
【００９７】
他の実施例に係る伝送装置１ａ〜１ｃによると、パケットごとに、メトロコアネットワーク９２側のインターフェースにおける論理的な通信回線（トリビュータリスロット）が、ＶＩＤに基づいて識別される。したがって、上述したように、通信回線Ｌ１〜Ｌ３の数が、低減され、これに伴い、伝送装置１ａ〜１ｃの設備コスト及び運用コストが削減される。
【００９８】
また、他の実施例に係る伝送方法は、個別のＶＩＤ（識別子）がそれぞれ付与された複数のパケットを、共通の伝送路を介して受信し、複数のパケットを、ＶＩＤに応じた収容位置に収容した時分割多重信号を生成し、送信する伝送方法である。
【００９９】
他の実施例に係る伝送方法は、他の実施例に係る伝送装置１ａ〜１ｃと同様の構成を含むので、上述した内容と同様の作用効果を奏する。
【０１００】
以上、好ましい実施例を参照して本発明の内容を具体的に説明したが、本発明の基本的技術思想及び教示に基づいて、当業者であれば、種々の変形態様を採り得ることは自明である。
【０１０１】
なお、以上の説明に関して更に以下の付記を開示する。
（付記１）  複数のパケットが収容された時分割多重信号を受信する信号受信部と、
前記時分割多重信号から前記複数のパケットを分離する分離部と、
前記複数のパケットの各々に、前記時分割多重信号内における当該収容位置に応じた識別子を付与する付与部と、
前記複数のパケットのうち、前記識別子が相違する少なくとも２つのパケットを、共通の伝送路を介して送信するパケット送信部とを有することを特徴とする伝送装置。
（付記２）  前記時分割多重信号内における前記複数のパケットの収容位置及び前記識別子の対応関係を示すテーブルを記憶する記憶部を、さらに有することを特徴とする付記１に記載の伝送装置。
（付記３）  前記時分割多重信号から、前記時分割多重信号のフレーム構成を示すフレーム情報を取得する取得部と、
前記フレーム情報に応じて前記分離部を再構成する再構成処理部を、さらに有することを特徴とする付記１または２に記載の伝送装置。
（付記４）  個別の識別子がそれぞれ付与された複数のパケットを、共通の伝送路を介して受信するパケット受信部と、
前記複数のパケットを、前記識別子に応じた収容位置に収容した時分割多重信号を生成する信号生成部と、
前記時分割多重信号を送信する信号送信部とを有することを特徴とする伝送装置。
（付記５）  １以上の伝送路を介して接続された第１伝送装置及び第２伝送装置を有し、
前記第１伝送装置は、
複数のパケットが収容された時分割多重信号を受信する信号受信部と、
前記時分割多重信号から前記複数のパケットを分離する分離部と、
前記複数のパケットの各々に、前記時分割多重信号内における当該収容位置に応じた識別子を付与する付与部と、
前記複数のパケットのうち、前記識別子が相違する少なくとも２つのパケットを、前記１以上の伝送路のうち、共通の伝送路を介して前記第２伝送装置に送信するパケット送信部とを有し、
前記第２伝送装置は、前記第１伝送装置から受信したパケットを、該パケットに付与された前記識別子に応じた転送先に転送することを特徴とする伝送システム。
（付記６）  前記第１伝送装置は、前記時分割多重信号内における前記複数のパケットの収容位置及び前記識別子の対応関係を示すテーブルを記憶する記憶部を、さらに有することを特徴とする付記５に記載の伝送システム。
（付記７）  前記第１伝送装置は、
前記時分割多重信号から、前記時分割多重信号のフレーム構成を示すフレーム情報を取得する取得部と、
前記フレーム情報に応じて前記分離部を再構成する再構成処理部を、さらに有することを特徴とする付記５または６に記載の伝送システム。
（付記８）  複数のパケットが収容された時分割多重信号を受信し、
前記時分割多重信号から前記複数のパケットを分離し、
前記複数のパケットの各々に、前記時分割多重信号内における当該収容位置に応じた識別子を付与し、
前記複数のパケットのうち、前記識別子が相違する少なくとも２つのパケットを、共通の伝送路を介して送信することを特徴とする伝送方法。
（付記９）  個別の識別子がそれぞれ付与された複数のパケットを、共通の伝送路を介して受信し、
前記複数のパケットを、前記識別子に応じた収容位置に収容した時分割多重信号を生成し、送信することを特徴とする伝送方法。
【符号の説明】
【０１０２】
１ａ〜１ｃ                      伝送装置（第１伝送装置）
２０                            マッピング部
２１                            デマッピング部（分離部）
９１                            第１ルータ（第２伝送装置）
９３                            レイヤ２スイッチ（第２伝送装置）
９５                            第２ルータ（第２伝送装置）
１００                          光送受信器（信号送信部、信号受信部）
１０１                          フレーム処理部（信号生成部）
１２２                          第２オーバーヘッド処理部（取得部）
１２４                          再構成処理部
１２５                          メモリ（記憶部）
１２９                          ＰＨＹ機能部（パケット送信部、パケット受信部）
１２８                          ＭＡＣ機能部（付与部）
【図１】
2015050666.tif 000003
【図２】
2015050666.tif 000004
【図３】
2015050666.tif 000005
【図４】
2015050666.tif 000006
【図５】
2015050666.tif 000007
【図６】
2015050666.tif 000008
【図７】
2015050666.tif 000009